(57)【要約】【課題】操作部と原稿読取部とを分離して設け、操作部カバーを取付ける際の作業性が優れた画像形成装置を提供することを目的とする。【解決手段】原稿読取部２を備える本体部１ａに、操作部取付部材７０を介して操作部５が取付けられる画像形成装置１において、操作部５の下面を覆う操作部カバー１０が取付けられた操作部取付部材７０が、本体部１ａに係止可能である。操作部取付部材７０が、下方を開放した断面を備える爪部７５を具備し、本体部１ａが、載置される原稿読取部２の前方に爪部７５の断面に対応する端部を備えるとともに、操作部取付部材７０が取付けられる原稿読取部載置部材６０を具備し、操作部取付部材７０の爪部７５を原稿読取部載置部材６０の端部に引っ掛けることによって、操作部取付部材７０が本体部１ａに係止される。【選択図】図１
2005173175.tif 000002
【特許請求の範囲】
【請求項１】
原稿の画像を読み取る原稿読取部を備える本体部に、操作部取付部材を介して操作入力が行われる操作部が取付けられる画像形成装置において、
前記操作部の下面を覆う操作部カバーが取付けられた前記操作部取付部材が、前記本体部に係止可能であることを特徴とする画像形成装置。
【請求項２】
前記操作部取付部材が、下方を開放した断面を備える爪部を具備し、
前記本体部が、載置される前記原稿読取部の前方に前記爪部の断面に対応する端部を備えるとともに、前記操作部取付部材が取付けられる原稿読取部載置部材を具備し、
前記操作部取付部材の爪部を前記原稿読取部載置部材の端部に引っ掛けることによって、前記操作部取付部材が前記本体部に係止されることを特徴とする請求項１に記載の画像形成装置。
【請求項３】
前記原稿読取部載置部材が、
前記原稿読取部の右後端部付近から右前端部付近に向かって、及び該原稿読取部の左後端部付近から左前端部付近に向かってそれぞれ設けられ、該原稿読取部が上面に載置される原稿読取部載置片と、
該原稿読取部載置片のそれぞれの前端部付近を連結する連結片と、
該連結片の前端部から立ち上がって設けられ、前記端部を上端に備える立設片と、
を具備し、
前記操作部取付部材が、
前記立設片に前方から取付けられ、前記爪部を上端部に備える第１片と、
前記操作部カバーの下面に上方から取付けられる第２片と、
を具備することを特徴とする請求項２に記載の画像形成装置。
【発明の詳細な説明】
【技術分野】
【０００１】
本発明は、画像形成装置、特に画像形成装置の本体部に操作部を取付けるための構成に関するものである。
【背景技術】
【０００２】
コピー機能、スキャナ機能、ファクシミリ機能等の機能を備えた画像形成装置においては、使用者から動作指示や設定等の入力が行なわれる操作部を備えており、この操作部への入力に基づいて各部が動作や設定等を行なう。操作部は、使用者が動作指示や設定等の入力を行なうための各種操作キーや動作や設定等を表示するための表示パネルを備えた操作パネル、及びスピーカや操作部用基板等の各種部品を有しており、これら操作パネルや各種部品を搭載するため及び内部の各種部品を保護するために操作部カバーが設けられている。
【０００３】
従来の画像形成装置においては、原稿の画像を走査してそれを画像データとして読み取る読取デバイスを内部に有する原稿読取部と操作部とをユニットとして一体化して構成し、このユニットを画像形成装置の本体部に取付けていた（例えば、特許文献１参照）。また、操作部と原稿読取部とを分離して設けることもあった。この場合には、操作部を取付けるための操作部取付部材を画像形成装置の本体部に取付け、この操作部取付部材に操作部カバーを取付けていた。ただし、使用者の操作性を優れたものに維持するため、操作部は原稿読取部の前方に設けることが好ましい。
【０００４】
そのため、従来は、図９に示すように、操作部を原稿読取部１０１の前方に分離して設け、原稿読取部１０１に取付けた複数の操作部取付部材１０２に、操作部の操作部カバー１０３を取付けていた。以下、詳細に説明する。操作部取付部材１０２は、Ｌ字状の部材であり、原稿読取部１０１の前面に取付けられる垂直面１０４と、この垂直面１０４の下端から前方に延出し、操作部カバー１０３の下面に取付けられる水平面１０５とを備えている。この操作部取付部材１０２の垂直面１０４に設けた図示しない貫通孔を介して、原稿読取部１０１の前面に設けた図示しない雌ねじに前方からビス１０６を用いて、各操作部取付部材１０２を原稿読取部１０１の前面に取付ける。次に、原稿読取部１０１の前面に取付けられた各操作部取付部材１０２の水平面１０５に設けた貫通孔１０７を介して、操作部カバー１０３の下面に設けた雌ねじ１０８に上方からビス１０９を用いて、原稿読取部１０１の前方に操作部カバー１０３を取付ける。
【特許文献１】特開平１１−１６４０７６号公報
【発明の開示】
【発明が解決しようとする課題】
【０００５】
操作部と原稿読取部１０１とを分離して設けた場合には、原稿読取部１０１の前面に取付けられた各操作部取付部材１０２に操作部カバー１０３を取付ける際に、作業者は位置決めをした状態を保つように操作部カバー１０３を片手で支えながら、他方の手で工具を用いてビス１１０を固定していた。しかしながら、操作部カバー１０３は大型の部材であるため、このような作業は作業者にとって困難であり、補助者が必要になるなど作業性が悪かった。
【０００６】
本発明は、上記した事情や問題に鑑みてなされたものであり、操作部と原稿読取部とを分離して設け、操作部カバーを取付ける際の作業性が優れた画像形成装置を提供することを目的とする。
【課題を解決するための手段】
【０００７】
当該目的を達成するために、請求項１に記載の画像形成装置は、原稿の画像を読み取る原稿読取部を備える本体部に、操作部取付部材を介して操作入力が行われる操作部が取付けられる画像形成装置において、前記操作部の下面を覆う操作部カバーが取付けられた前記操作部取付部材が、前記本体部に係止可能であることを特徴としている。
【０００８】
請求項２に記載の画像形成装置は、請求項１に記載の画像形成装置において、前記操作部取付部材が、下方を開放した断面を備える爪部を具備し、前記本体部が、載置される前記原稿読取部の前方に前記爪部の断面に対応する端部を備えるとともに、前記操作部取付部材が取付けられる原稿読取部載置部材を具備し、前記操作部取付部材の爪部を前記原稿読取部載置部材の端部に引っ掛けることによって、前記操作部取付部材が前記本体部に係止されることを特徴としている。
【０００９】
請求項３に記載の画像形成装置は、請求項２に記載の画像形成装置において、前記原稿読取部載置部材が、前記原稿読取部の右後端部付近から右前端部付近に向かって、及び該原稿読取部の左後端部付近から左前端部付近に向かってそれぞれ設けられ、該原稿読取部が上面に載置される原稿読取部載置片と、該原稿読取部載置片のそれぞれの前端部付近を連結する連結片と、該連結片の前端部から立ち上がって設けられ、前記端部を上端に備える立設片と、を具備し、前記操作部取付部材が、前記立設片に前方から取付けられ、前記爪部を上端部に備える第１片と、前記操作部カバーに上方から取付けられる第２片と、を具備することを特徴としている。
【発明の効果】
【００１０】
請求項１に記載の画像形成装置によれば、操作部カバーが取付けられた操作部取付部材が本体部に係止可能であるので、大型の部材である操作カバーを操作部取付部材を介して本体部に仮固定することができる。これにより、本体部に操作部カバーが取付けられた操作部取付部材を取付ける際に、作業者が操作部カバー全体を片手で支えたり、補助者を必要とすることなどなく、操作部カバーを取付けに適する位置決めした状態に容易に保つことができ、操作部カバーの本体部への取付け作業性を優れたものとすることができる。
【００１１】
請求項２に記載の画像形成装置によれば、操作部取付部材の爪部を原稿読取部載置部材の端部に引っ掛けるので、操作部取付部材が本体部に係止される構成を簡易なものとすることができる。また、爪部に引っ掛けられる端部を原稿読取部の前方に原稿読取部載置部材が備えるので、原稿読取部の前方に操作部を設けることができるため、使用者の操作性を優れたものに維持することができる。
【００１２】
また、操作部の下面を覆う操作部カバーが取付けられた操作部取付部材が、原稿読取部が載置される原稿読取部載置部材に取付けられるので、操作部を取外すことなく、原稿読取部を取外すことが可能な構成とすることができる。このように構成することにより、不具合等による交換などのために原稿読取部を取外す際には、操作部を取外す必要がないため、原稿読取部の交換作業などの作業性を優れたものとすることができる。
【００１３】
請求項３に記載の画像形成装置によれば、原稿読取部載置部材が、原稿読取部が上面に載置される原稿読取部載置片と、該原稿読取部載置片のそれぞれの前端部付近を連結する連結片と、該連結片の前端部から立ち上がって設けられ端部を上端に備える立設片とを具備するので、原稿読取部の前方に操作部を設けることができる構成を簡易なものとすることができる。また、操作部取付部材が、本体部の立設片に前方から取付けられ、操作部カバーに上方から取付けられるので、操作部カバーを操作部取付部材を介して本体部に取付ける構成を簡易にすることができるとともに、下方からなどの作業性の悪い方向から操作部取付部材を取付ける必要がないので、操作部取付部材の取付け作業性を優れたものとすることができる。
【発明を実施するための最良の形態】
【００１４】
以下、本発明を実施するための最良の形態に係る画像形成装置について図面に基づいて説明する。該画像形成装置１は、例えばコピー機能、スキャナ機能、ファクシミリ機能、プリンタ機能等を有した複合機であり、図１に示すように、本体部１ａの一部を構成する原稿読取部２の下方に画像形成部３を空間を隔てて設け、この空間内に排紙収容部４を設けている胴内排紙型の画像形成装置１であり、原稿読取部２の前方に操作部５が原稿読取部２とは別に設けられている。ここで、画像形成装置１の本体部１ａとは、原稿読取部３や排紙収容部４を含めた各部からなり、操作部５を除いた画像形成装置１を構成するものである。画像形成装置１は、さらに、用紙を収容するともに用紙を画像形成部３に供給する用紙供給部６や、読み取り位置に原稿を自動的に搬送する自動原稿供給部７をも備えている。なお、以下の説明において、図１に示すように、前側とは画像形成装置１における操作部５が位置する側を意味し、右側とは前方から画像形成装置１に向かって右側を意味するものとする。
【００１５】
原稿読取部２は、原稿の画像を走査してそれを画像データとして読み取る読取デバイスを図示しない内部に有する。この読取デバイスは、コピー機やファクシミリ装置等において一般的に用いられるものを使用することができ、具体的には、ＣＣＤを用いた電荷結合形イメージセンサ、あるいは密着形イメージセンサ等を使用することができる。そして、読取デバイスは、自動原稿供給部７により搬送される原稿の画像を走査するために、自動原稿供給部７による原稿の読み取り位置におけるプラテンガラス８上に搬送される原稿の画像を下方から走査する。また、読取デバイスは、プラテンガラス８の下方において水平方向に移動しつつ、このプラテンガラス８上に載置される原稿の画像の走査をも行う。
【００１６】
画像形成部３は、用紙供給部６から搬送された用紙に画像を形成し排出部４へ搬送する。画像形成部３は、その画像形成方式として電子写真方式、インクジェット記録方式や感熱記録方式等のこの分野で公知の各種の記録方式を用いることができる。排紙収容部４は、画像形成部３にて画像が形成された用紙を排出し、排出された用紙を排紙トレイ９に収容する。
【００１７】
操作部５は、原稿読取部２の前方に原稿読取部２とは別に機械的に直接接続されることなく設けられている。操作部５は、使用者が動作指示や設定等の入力を行なうための各種操作キーや動作や設定等を表示するための表示パネルを備えた操作パネル１０、操作部５の下面及び側面を構成する操作部カバー８０や、図示しないスピーカや操作部用基板等の各種部品を内部に有している。
【００１８】
用紙供給部６は、所定サイズの用紙を収納するとともに、その用紙を画像形成部３に供給する部分であり、画像形成部３の直下に設けられている。自動原稿供給部７は、前記図示しない読取デバイスによる読み取り位置におけるプラテンガラス８上に、原稿載置トレー１１上に載置された原稿を１枚ずつ分離して搬送し、更に、画像を読み取った後の原稿を原稿排出トレー１２に排出する部分であり、画像読取部２に開閉可能に取付けられている。
【００１９】
次に、前記原稿読取部２を取付ける構成について説明する。図１に示すように、画像形成部３の上面に設けられた前側係止部材３０と２本の後側係止部材３１，３２とが支柱となり、これら前側係止部材３０及び後側係止部材３１，３２の上に、原稿読取部載置部材である２本の原稿読取部載置材４０，５０及び連結材６０が固定され取付けられている。原稿読取部２は、原稿読取部載置材４０，５０に載置されるとともに、原稿読取部載置材４０，５０及び連結材６０に固定され取付けられる。
【００２０】
ここで、前側係止部材３０は、画像読取部３の上面の右前端部付近から上方に向かって設けられている。一方、後側係止部材３１，３２は、画像形成部３の上面の右後端部付近及び左後端部付近から上方に向かってそれぞれ設けられている。これら前側係止部材３０や後側係止部材３１，３２は、画像形成部３に対してビス等の固定具にて接続固定されていてもよいし、画像形成部３のフレーム等と一体化して設けられていてもよい。また、前側係止部材３０及び右側の後側係止部材３１は、前記排紙機構１８を設けるためのフレーム等の一部であってもよい。なお、前側係止部材３０の上端面には、ビス等の固定具９０により連結材６０を固定するための雌ねじ３３が設けられている。後側係止部材３１，３２の上端面には、ビス等の固定具９０により原稿読取部載置材４０，５０を固定するための雌ねじ３４，３５がそれぞれ設けられている。
【００２１】
原稿読取部載置材４０，５０は、原稿読取部２を載置し固定するために設けられている。これら原稿読取部載置材４０，５０は、薄厚の部材であり、金属板を折曲げ等の成形加工したものであってもよいし、樹脂を成形加工したものであってもよい。原稿読取部載置材４０，５０は、原稿読取部２の右後端部付近から右前端部付近に向かって、原稿読取部２の左後端部付近から左前端部付近に向かってそれぞれ設けられ、原稿読取部２がその上面に載置される原稿読取部載置片４１，５１と、これら原稿読取部載置片４１，５１の後端部から上方に向かって延出する延出片４２、５２とをそれぞれ有している。右側の原稿読取部載置片４１は、後側係止部材３１の上端部から前側係止部材３０の上端部に渡って張り渡されている。左側の原稿読取部載置片４２は、後側係止部材３２の上端部から前方の宙に向かって張り出されている。原稿読取部載置片４１，５１の後側には、ビス等の固定具９０を介して後側垂直部材３１，３２に固定するための貫通孔４３、５３がそれぞれ設けられている。また、原稿読取部載置片４１，５１の前側には、ビス等の固定具９０により連結材６０を固定するための貫通孔４４，５４がそれぞれ設けられている。延出片４２、５２の中央付近には、ビス等の固定具９０により原稿読取部２を固定するための貫通孔４５，５５がそれぞれ設けられている。さらに、右側の原稿読取部載置材４０は、原稿読取部載置片４１の前端部から上方に延出した後に前方に延出する第２延出片４６を有している。第２延出片４６には、ビス等の固定具９０により連結材６０に固定するための貫通孔４７が設けられている。
【００２２】
連結材６０は、原稿読取部載置片４１，５１の前端部付近を連結するように設けられている。連結材６０は、薄厚の金属板を折曲げ等の成形加工及び接合等により形成したものである。連結材６０は、図１から図３に示すように、原稿読取部載置片４１，５１の前端部付近を連結する連結片６１と、この連結片６１の前側端部から上方に向かって立ち上がり延出して設けられる立設片６２と、この立設片６２の上側端部の一部から前方に向かって延出する前方延出片６３と、水平な面を有し連結片６１と立設片６２とに嵌合や接合などにより接続して設けられる断面横Ｌ字状の原稿読取部取付片６４とを有している。なお、連結片６１には、ビス等の固定具９０により原稿読取部載置材４０，５０をそれぞれ固定するための雌ねじ６５が設けられている。立設片６２には、ビス等の固定具９０により操作部カバー８０を操作部取付部材７０を介して固定するための雌ねじ６６が複数設けられている。前方延出片６３には、ビス等の固定具９０により前側係止部材３０に固定するための貫通孔６７が設けられている。原稿読取部取付片６４の水平な面には、ビス等の固定具９０により原稿読取部２を上方から固定するための雌ねじ６８が設けられている。さらに、原稿読取部取付片６４の水平な面には、ビス等の固定具９０により右側の原稿読取部載置材４０を固定するための雌ねじ６９が設けられている。
【００２３】
原稿読取部２は、前記図示しない読取デバイス等を内部に有し箱型の外形を備えるものである。原稿読取部２の前面には、図１に示すように、ビス等の固定具９０により連結材６０に固定するために、断面Ｌ字状の取付片９１を備えられている。この取付片９１の前方に延出する片には、貫通孔９２が設けられている。原稿読取部２の後面には、図示しないが、ビス等の固定具９０により原稿読取部載置材４０，５０に固定するための雌ねじが設けられている。
【００２４】
次に、操作部５を画像形成装置１の本体部１ａに取付ける構成について説明する。図１に示すように、操作部５は、原稿読取部２の前方に別に設けられ、操作部カバー８０が固定された複数の操作部取付部材７０を介して、画像形成装置１の本体部１ａを構成する連結材６０に固定され取付けられる。操作部カバー８０が固定された操作部取付部材７０は、引っ掛けられることにより連結材６０に係止され仮固定するために爪部７５を備えている。
【００２５】
操作部取付部材７０は、図１及び図４に示すように、操作部５の操作部カバー８０を連結材６０に取付けるために設けた介在部材である。操作部取付部材７０は、薄厚の金属板を折曲げ等の成形加工により形成したものであっても、樹脂を成形加工したものであってもよい。操作部取付部材７０は、操作部カバー８０の側面を張る面に平行な面を備える主片７１と、この主片７１の後端面から左右何れかの方向に向かって延出し連結材６０の立設片６２の張る面に平行な左右片（第１片）７２と、主片７１の下側端面から左右片７２の設けられた方向と同方向に向かって延出し略水平な面を備える水平片（第２片）７３とを備えている。なお、主片７１は、操作部取付部材７０が操作部カバー８０に取付けられた際に、操作部カバー８０の強度を補強する役割を果たしている。操作部カバー８０に単体で充分な強度がある場合には、左右片７２の下端部から直接延出させて水平片７３を設け、主片７１を省いた、略Ｌ字状の操作部取付部材であってもよい。
【００２６】
操作部取付部材７０の左右片７２には、ビス等の固定具９０を介して、連結材６０の立設片６２に固定するための貫通孔７４が複数設けられている。また、左右片７２の上端面の一部には、連結材６０の立設片６２の上端面に引っ掛けることによって係止され、操作部取付部材７０を連結材６０に仮固定するために爪部７５が設けられている。この爪部７５は、下方を開放した略コ字状の断面を備えており、左右片７２の上端面の一部から一体化し上方に延出する爪部第１片７５ａと、この爪部第１片７５ａの上端面から後方に延出する爪部第２片７５ｂと、この爪部第２片７５ｂの後端面から下方に延出する爪部第３片７５ｃとを有している。爪部第１片７５ａと爪部第３片７５ｃとの相対する面間の距離は、連結材６０の立設片６２の爪部７５に対応する端部である上端面部分の厚さに比べて所定距離だけ大きく設定されている。水平片７３には、ビス等の固定具９０を介して、操作部５の操作部カバー８０に固定するための貫通孔７６が設けられている。また、水平片７３の貫通孔７６の付近には、操作部カバー８０との位置決めや弛み防止のために貫通孔７７が設けられている。なお、爪部７５は、下方を開放した略Ｕ字状の断面を備え、爪部第１片７５ａと爪部第３片７５ｃとの各上端部を湾曲片にて連結するなどの構成であってもよい。
【００２７】
操作部カバー８０は、図１及び図５に示すように、操作部５の内部に設けられる図示しないスピーカや操作部用基板等の各種部品を搭載および外部から保護し、操作パネル１０が上部に配設されるとともに、操作部取付部材７０を介して、画像形成装置１の本体部１ａを構成する連結材６０に操作部５を取付けるために設けられている。操作部カバー８０は、樹脂を成形加工したものであっても、薄厚の金属板を成形加工や接合等により形成したものであってもよい。操作部カバー８０は、操作部５を前面から下面に渡って覆う下面カバー８１と、下面カバー８１の左右両端部から上方に向かって延出してそれぞれ設けられ、操作部５の両側面を覆う側面カバー８２とを備えている。下面カバー８１の上面には、操作部取付部材７０の水平片７３をその上に載置するために、水平な上面を有する操作部取付部材載置部８３が複数設けられている。この操作部取付部材載置部８３には、ビス等の固定具９０により操作部取付部材７０を固定するために、雌ねじ８４がそれぞれ設けられている。また、操作部取付部材載置部８３の雌ねじ８４の前後には、操作部取付部材７０の水平片７３の貫通孔７７に挿通され、操作部取付部材７０に固定される操作部カバー８０の位置決めや弛み防止のために、操作部取付部材載置部８３の水平な上面から上方に突出する棒状突起８５が設けられている。なお、下面カバー８１には、組付け時における前記前側係止部材３０（図１参照）との干渉防止のために、切欠８６が設けられている。
【００２８】
以下、画像形成装置１の原稿読取部２や操作部５などを組付ける手順について、図１を主に参照しながら説明する。まず、原稿読取部２を載置して固定するため原稿読取部載置材４０，５０及び連結材６０を組付ける。画像形成部３の上面に設けられた前側垂直部材３０の上端面の雌ねじ３３に、連結材６０の前方延出片６３の貫通孔６７を介し、ビス等の固定具９０を用いて、連結材６０を前側垂直部材３０に仮固定する。次に、後側垂直部材３１，３２の上端面の雌ねじ３４，３５に、原稿読取部載置材４０，５０の原稿読取部載置片４１，５１の後側の貫通孔４３、５３を介し、ビス等の固定具９０を用いて、後側垂直部材３１，３２の上に原稿読取部載置材４０，５０を仮固定する。これと共に、連結材６０の連結片６１の雌ねじ６５（図２参照）に、原稿読取部載置材４０，５０の原稿読取部載置片４１，５１の前側の貫通孔４４，５４を介し、ビス等の固定具９０を用いて、原稿読取部載置材４０，５０の原稿読取部載置片４１，５１の前端部付近を連結材６０により連結し仮固定する。これと共に、さらに連結材６０の原稿読取部取付片６４の雌ねじ６９（図２参照）に、右側の原稿読取部載置材４０の第２延出片４６の貫通孔４７を介し、ビス等の固定具９０を用いて、右側の原稿読取部載置材４０を連結材６０に仮固定する。以上によって、画像形成部３の上面に設けられた前側垂直部材３０及び後側垂直部材３１，３２の上部に、原稿読取部載置材４０，５０及び連結材６０が仮固定されて係止されるので、この状態において各固定具９０を本固定する（図３参照）。
【００２９】
次に、原稿読取部２を組付ける。原稿読取部２を原稿読取部載置材４０，５０の原稿読取部載置片４１，５１の上面に載置する。さらに、原稿読取部２の後面の図示しない雌ねじに、原稿読取部載置材４０，５０の延出片４２、５２の貫通孔４５，５５を介して、ビス等の固定具９０を用いて後方から固定して、原稿読取部２を原稿読取部載置材４０，５０に固定する。これとともに、連結材６０の原稿読取部取付片６４の雌ねじ６８（図３参照）に、原稿読取部２の前面に備えた取付片９１の貫通孔９２を介し、ビス等の固定具９０を用いて上方から固定して、原稿読取部２を連結材６０に固定する。これらの固定後若しくは固定前に、必要であれば原稿読取部２から他部への所定の電気的連結を行う。さらに、自動原稿供給部７の機械的及び電気的な連結を行う。
【００３０】
操作部５を次に組付ける。まず、図４に示す操作部取付部材７０の水平片７３の貫通孔７７に、図５に示す操作部カバー８０の棒状突起８５を挿通する。これとともに、操作部カバー８０の操作部取付部材載置部８３の上面に、操作部取付部材７０を水平片７３の底面を載置し、操作部カバー８０の雌ねじ８４に、操作部取付部材７０の水平片７３の貫通孔７６を介して、ビス等の固定具９０を用いて上方から固定し、図６の実線にて示すように、操作部取付部材７０に複数の操作部カバー８０を固定する。操作部取付部材７０は、操作部カバー８０を補強する役割も果たしている。
【００３１】
次に、操作部カバー８０が固定された操作部取付部材７０を本体部１ａの連結材６０に、図６の矢印にて示すように上方から下方に向かって移動させて、連結材６０の立設片６２の端部である水平方向に平らな面を有する上端面に、操作部取付部材７０の爪部７５を引っ掛けることによって、操作部カバー８０が固定された操作部取付部材７０が連結材６０に係止されて、図６の仮想線にて示すように、仮固定される。次に、連結材６０の立設片６２の雌ねじ６６に、操作部取付部材７０の左右片７２の貫通孔７４を介して、ビス等の固定具９０を用いて前方から固定し、図７に示すように、連結材６０に操作部取付部材７０を固定する。最後に、操作部５の操作パネル１０や図示しない各種部品の所定の機械的及び電気的連結を行い、画像形成装置１の組付けが完了する。
【００３２】
以上のように、操作部カバー８０は操作部連結材７０が爪部７５を備え、この爪部７５を連結材６０の立設片６２に引っ掛けることによって、他の部材や工具を用いることなく、本体部１ａに操作部カバー８０が係止可能となり簡易に仮固定することができる。これにより、作業者が操作部カバー８０を支えることなく、操作部カバー８０を操作部取付部材７０を介して連結材６０に仮固定した状態において本固定することができるので、組付けが容易になり作業性を優れたものとすることができる。また、原稿読取部２は原稿読取部載置材４０，５０の原稿読取部載置片４１，５１及び連結材６０の原稿読取部取付片６４に、操作部５は操作部取付部材７０を介して操作部カバー８０が連結材６０の立設片６２に、それぞれ別々に固定されている。これにより、原稿読取部２を交換する必要がある場合、操作部５を取外す必要がないので、不具合等によって原稿読取部２を交換する際の作業性を優れたものとすることができる。また、ビス等の固定具９０の固定は全て上方、前方または後方からであり、下方から固定する必要がないので、組付け作業性が優れている。また、原稿読取部２を載置する原稿読取部載置片４１，５１の前端部を連結する連結片６１の前端部から立ち上がって設けられる立設片６２に、前方から操作部取付部材７０を介して操作部５が固定されている。これにより、原稿を載置するプラテンガラス８や原稿載置トレー１２及び排出された原稿が収容される原稿排出トレー１１を上面に配置した原稿読取部２の前方に操作部５を設けることができるので、使用者の操作性を優れたものに維持することができる。
【００３３】
以上、本発明を実施するための最良の形態に係る画像形成装置１について説明したが、これに限られるものではない。例えば、図８に示すように、連結材６０´の立設片６２´に前方へ突出する突起６６ａとともに、操作部取付部材７０´の左右片７２´に突起６６ａに対応する貫通孔７４ａを位置決め部として設けてもよい。これにより、操作部カバー８０が固定された操作部取付部材７０´を立設片６２´に引っ掛け仮固定する際に、貫通孔７４ａに突起６５ａを挿通することによって、取付け位置を位置決めすることができるとともに、ビス等の固定具９０を用いる固定箇所を削減することができるので、組付け作業性をより優れたものとすることができる。また、図示しないが、連結材６０の立設片６２の上端部に操作部取付部材７０の爪部７５の幅に対応する切欠や突起などの位置決め部を設けたり、爪部７５に対応する開口を立設片６２に設け、この開口の下端面を端部として操作部取付部材７０の爪部７５を引っ掛け仮固定してもよい。
【産業上の利用可能性】
【００３４】
画像形成装置において、本体部に操作部を取付けるための構成等に適用することが可能である。
【図面の簡単な説明】
【００３５】
【図１】本発明の実施の形態に係る画像形成装置を示す分解斜視図である。
【図２】図１に示した画像形成装置の連結材を示す斜視図である。
【図３】図１に示した画像形成装置の連結材を組付けた状態を後方から見た状態を示す部分斜視図である。
【図４】図１に示した画像形成装置の操作部取付部材を示す斜視図である。
【図５】図１に示した画像形成装置の操作部カバーを示す斜視図である。
【図６】図１に示した画像形成装置の操作部取付部材を組付けた状態を示す部分斜視図である。
【図７】図１に示した画像形成装置の操作部取付部材と操作部カバーを組付けた状態を示す部分斜視図である。
【図８】本発明の実施の形態の変形に係る画像形成装置の操作部取付部材と操作部カバーを組付ける状態を示す部分分解斜視図である。
【図９】従来の画像形成装置の操作部取付部材を組付けた状態を示す部分斜視図である。
【符号の説明】
【００３６】
１  画像形成装置
１ａ  本体部
２  原稿読取部
５  操作部
４０，５０  原稿読取部載置材（原稿読取部載置部材）
４１，５１  原稿読取部載置片
６０  連結材（原稿読取部載置部材）
６２  立設片
７０  操作部取付部材
７２  左右片（第１片）
７３  水平片（第２片）
７５  爪部
８０  操作部カバー
【図１】
2005173175.tif 000003
【図２】
2005173175.tif 000004
【図３】
2005173175.tif 000005
【図４】
2005173175.tif 000006
【図５】
2005173175.tif 000007
【図６】
2005173175.tif 000008
【図７】
2005173175.tif 000009
【図８】
2005173175.tif 000010
【図９】
2005173175.tif 000011